(57)【要約】  【課題】循環気流の風路を規制し省エネ及び商品の加温劣化を改善する。  【解決手段】バックドア４と、右バリヤ１０３ａと左バリヤ１０３ｂを含む庫内５と、商品収容部７・手前商品収容部７ｂと、背面ダクト８と、背面ダクト８の中間開口部８ｃと、シャッタ２０と、フォーム１０１ａを備え、フォーム１０１ａを手前商品収容部７ｂとバックドア４の間に貼付け、バックドア４を閉じたときバックドア４と手前商品収容部７ｂ間の隙間ｇ１が限りなく閉塞されるようにすることにより、シャッタ２０が部分加温する姿勢の際、従来まで部分加温に使用されなかったバックドア４と手前商品収容部７ｂ間の隙間ｇ１へ流入した循環気流を部分加温に使用できるため省エネになるだけでなく、フォーム１０１ａより上部にある手前商品収容部７ｂの商品６の温度上昇を低減し加温劣化を防止でき、より長期間鮮度の高い商品６を消費者に提供できる。【選択図】図１
2007122213.tif 000002
【特許請求の範囲】
【請求項１】
商品を搬出するための商品搬出手段と、商品を収容する商品収容部と、前記商品収容部を収容する庫内と、前記庫内を断熱密閉するバックドアと、前記商品収容部の下部に位置し空気を冷却・加温する冷却・加温手段と、前記庫内の背面に沿って上下方向に取付けられた背面ダクトと、前記背面ダクトの上部から空気を吸込むための上部開口部と、前記背面ダクトの下部に位置し前記冷却・加温手段へ空気を送風する下部開口部と、前記上部開口部と前記下部開口部の間でかつ前記商品搬出手段付近に位置し、前記商品収容部側に開口された中間開口部と、前記中間開口部付近に設けられ空気の吸込み位置を前記上部開口部または前記中間開口部のどちらか一方に切り換えるための吸込み位置切換手段と、前記商品収容部の外側面の少なくともいずれか一方向に前記上部開口部と前記中間開口部との間に設けられ前記商品収容部外側の空気の循環経路を規制する遮風手段を備えた自動販売機の冷却加温機構。
【請求項２】
前記遮風手段は、前記上部開口部と前記中間開口部間の高さになるよう前記商品収容部と前記バックドアとの間に設けたものとした請求項１に記載の自動販売機の冷却加温機構。
【請求項３】
前記遮風手段は、前記上部開口部と前記中間開口部間の高さになるよう前記商品収容部と前記背面ダクトとの間に設けたものとした請求項１に記載の自動販売機の冷却加温機構。
【請求項４】
前記遮風手段は、前記上部開口部と前記中間開口部間の高さになるよう前記商品収容部と前記庫内の壁面との間に設けたものとした請求項１に記載の自動販売機の冷却加温機構。
【請求項５】
前記遮風手段は、前記上部開口部と前記中間開口部間の高さになるよう複数の前記商品収容部との間に設けたものとした請求項１に記載の自動販売機の冷却加温機構。
【請求項６】
前記遮風手段は、固定式のものとした請求項２から５のいずれか一項に記載の自動販売機の冷却加温機構。
【請求項７】
前記遮風手段は、可動式のものとした請求項２に記載の自動販売機の冷却加温機構。
【発明の詳細な説明】
【技術分野】
【０００１】
本発明は部分加温を行うこととした自動販売機の冷却加温機構に関するものである。
【背景技術】
【０００２】
従来、この種の自動販売機の冷却加温機構は図２のような構造となっている（例えば、特許文献１参照）。
【０００３】
図２は、特許文献１に記載された従来の自動販売機の冷却加温機構を示すものである。図２に示すように、自動販売機１とメインドア２とで囲まれた自動販売機内部に、バックドア４で開閉される断熱構造の内箱３が設けられ、これらの内箱３とバックドア４とで囲まれた庫内５に、缶飲料などからなる商品６を蛇行状に積み上げて収納する商品収容部７が設定されている。
【０００４】
また、庫内５における背面近傍箇所には通風用の背面ダクト８が上下に延設されており、背面ダクト８の上側開口部８ａは庫内５の背面近傍の上端部箇所に開口され、背面ダクト８の下側開口部８ｂは庫内５の背面近傍の底部箇所に開口されている。この背面ダクト８の下側開口部８ｂが開口されている庫内５の底部には、冷却手段としての蒸発器９、加温手段としてのヒータ１０、送風手段としてのファン１１などが配設されている。さらに、背面ダクト８には、上側開口部８ａと下側開口部８ｂとに加えて、上下方向の略中箇所における商品収容部７側に臨むように開口された中間開口部８ｃが形成されている。そして、この中間開口部８ｃを開閉する形状記憶合金製のシャッタ２０が設けられている。なお、デリバリシュート１４は商品搬出用のもので多数の通風孔が開けられており、ベンドメカ２１は商品６を搬出するものである。
【０００５】
以上のように構成された自動販売機の冷却加温機構について、以下その動作を説明する。
【０００６】
まず、シャッタ２０は、その上端部が背面ダクト８における中間開口部８ｃのすぐ上の箇所に固着されており、加温され高温となった際には、中間開口部８ｃに臨む箇所が斜め後方に湾曲して中間開口部８ｃが開けられると同時に、下端部が背面ダクト８の背面部に接触して中間開口部８ｃがより上側の循環通路８ｄを遮断する開姿勢となる。
【０００７】
したがって、熱風は背面ダクト８の中間開口部８ｃより下側を通して循環する。また、シャッタ２０は、冷却され低温となった際には、直線状となって中間開口部８ｃが閉じられると同時に背面ダクト８の上側および下側を連通させて開ける閉姿勢となる。したがって、冷風は背面ダクト８内を上から下まで通して循環する。
【特許文献１】特開平１０−１８８１１１号公報
【発明の開示】
【発明が解決しようとする課題】
【０００８】
しかしながら、上記従来の構成では、熱風は背面ダクト８の中間開口部８ｃより下側の循環通路を通して循環するが、バックドア４と商品収容部７の手前側との隙間・商品収容部７の奥側と背面ダクト８との隙間・商品収容部７と庫内との隙間への循環気流、つまり部分加温に使用されない循環気流の分、増エネになるだけでなく、商品収容部７の上部の商品６を加温するため加温劣化が進み商品の鮮度が低下するという課題を有していた。
【０００９】
本発明は、上記従来の課題を解決するもので、前記従来の隙間への循環気流を遮風し、さらにこの循環気流を部分加温に使用することにより省エネを図るだけでなく、商品収容部７の上部商品の温度上昇を低減することにより加温劣化を防止し、より鮮度の高い商品６を消費者に提供するとした自動販売機の冷却加温機構を提供することを目的とする。
【課題を解決するための手段】
【００１０】
上記従来の課題を解決するために、本発明の自動販売機の冷却加温機構は、前記商品収容部のいずれか一側面に設けられた遮風手段を備えるとしたものである。
【００１１】
これによって、前記遮風手段は前記冷却・加温手段から吹出され前記商品収容部を循環する冷気または暖気が前記商品収容部のいずれか一側面に沿って前記遮風手段より上部を循環するのを規制することとなる。
【発明の効果】
【００１２】
本発明の自動販売機の冷却加温機構は、商品収容部の下部を加温する部分加温の際、従来まで部分加温に使用されなかった商品収容部のいずれか一側面に沿って流入した循環気流を部分加温に使用できるため省エネになるだけでなく、遮風手段より上部にある商品収容部の商品の温度上昇を低減し加温劣化を防止でき、より長期間鮮度の高い商品を消費者に提供できる。
【発明を実施するための最良の形態】
【００１３】
請求項１に記載の発明は、商品を搬出するための商品搬出手段と、商品を収容する商品収容部と、前記商品収容部を収容する庫内と、前記庫内を断熱密閉するバックドアと、前記商品収容部の下部に位置し空気を冷却・加温する冷却・加温手段と、前記庫内の背面に沿って上下方向に取付けられた背面ダクトと、前記背面ダクトの上部から空気を吸込むための上部開口部と、前記背面ダクトの下部に位置し前記冷却・加温手段へ空気を送風する下部開口部と、前記上部開口部と前記下部開口部の間でかつ前記商品搬出手段付近に位置し、前記商品収容部側に開口された中間開口部と、前記中間開口部付近に設けられ空気の吸込み位置を前記上部開口部または前記中間開口部のどちらか一方に切り換えるための吸込み位置切換手段と、前記商品収容部の外側面の少なくともいずれか一方向に前記上部開口部と前記中間開口部との間に設けられ前記商品収容部外側の空気の循環経路を規制する遮風手段を備えることより、商品収容部の下部を加温する部分加温の際、従来まで部分加温に使用されなかった前記商品収容部のいずれか一側面に沿って流入した循環気流を部分加温に使用できるため省エネになるだけでなく、前記遮風手段より上部にある前記商品収容部の商品の温度上昇を低減し加温劣化を防止でき、より長期間鮮度の高い商品を消費者に提供できる。
【００１４】
請求項２に記載の発明は、請求項１に記載の発明において、遮風手段を前記上部開口部と前記中間開口部間の高さになるよう前記商品収容部と前記バックドアとの間に設けたものとすることより、前記バックドアと前記商品収容部の手前側との隙間へ流入した循環気流が、前記遮風手段により遮風されるため、前記遮風手段より上部を循環することを阻まれる。そして、前記遮風手段周囲の循環気流は前記背面ダクトの前記中間開口部に向かって循環しているため、前記遮風手段により遮風された循環気流もこの周囲の循環気流に従い前記背面ダクトの前記中間開口部に向かって循環するため、前記商品収容部の下部を加温する部分加温の際、従来まで部分加温に使用されなかった前記バックドアと前記商品収容部間の隙間へ流入した循環気流を部分加温に使用できるため省エネになるだけでなく前記遮風手段より上部にある前記商品収容部の手前側商品の温度上昇を低減し加温劣化を防止できより長期間鮮度の高い商品を消費者に提供できる。
【００１５】
請求項３に記載の発明は、請求項１に記載の発明において、遮風手段を前記上部開口部と前記中間開口部間の高さになるよう前記商品収容部と前記背面ダクトとの間に設けたものとすることにより、前記奥商品収容部と前記背面ダクト間の隙間へ流入した循環気流が、前記遮風手段により遮風されるため、前記遮風手段より上部を循環することを阻まれる。そして、前記遮風手段周囲の循環気流は前記背面ダクトの前記中間開口部に向かって循環しているため、前記遮風手段により遮風された循環気流もこの周囲の循環気流に従い前記背面ダクトの前記中間開口部に向かって循環するため、前期商品収容部の奥側について実施の形態１と同様の効果を得ることができる。
【００１６】
請求項４に記載の発明は、請求項１に記載の発明において、遮風手段を前記上部開口部と前記中間開口部間の高さになるよう前記商品収容部と前記庫内の壁面との間に設けたものとすることにより、前記商品収容部と前記庫内壁面との隙間へ流入した循環気流が、前記遮風手段により遮風されるため、前記遮風手段より上部を循環することを阻まれる。そして、前記遮風手段周囲の循環気流は前記背面ダクトの前記中間開口部に向かって循環しているため、前記遮風手段により遮風された循環気流もこの周囲の循環気流に従い前記背面ダクトの前記中間開口部に向かって循環するため、前記商品収容部の奥側から手前側までの広範囲に対し、実施の形態１と同様の効果を得ることができる。
【００１７】
請求項５に記載の発明は、請求項１に記載の発明において、遮風手段を前記上部開口部と前記中間開口部間の高さになるよう複数の前記商品収容部との間に設けたものとすることにより、複数の前記商品収容部との間の隙間へ流入した循環気流が、前記遮風手段により遮風されるため、前記遮風手段より上部を循環することを阻まれる。そして、前記遮風手段周囲の循環気流は前記背面ダクトの前記中間開口部に向かって循環しているため、前記遮風手段により遮風された循環気流もこの周囲の循環気流に従い前記背面ダクトの前記中間開口部に向かって循環するため、前記商品収容部の奥側から手前側までの広範囲に対し、実施の形態１と同様の効果を得ることができる。
【００１８】
請求項６に記載の発明は、請求項２から５のいずれか一項に記載の発明において、遮風手段を固定式のものとすることより、取付けや加工が容易となるとなる。
【００１９】
請求項７に記載の発明は、請求項２に記載の発明において、遮風手段を可動式のものとすることより、前記商品収容部の上部までの商品を加温する全体加温の際は、前記可動式遮風手段を閉状態にすることにより前記バックドアと前記商品収容部間に隙間ができ、前記可動式遮風手段より上部を循環気流が循環できるようになるため、全体加温が可能となるため、販売量が多く、多数の商品を加温する必要がある場合もより早く商品を適温に加温することができ、販売機会を失うことを防止できるという効果も得られる。
【００２０】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２１】
（実施の形態１）
図１（ａ）は、本発明の実施の形態１における自動販売機の冷却加温機構の側面からみた構成図である。
【００２２】
図１（ｂ）は、本発明の実施の形態１における自動販売機の冷却加温機構の正面からみた構成図である。
【００２３】
図１（ａ）において、商品収容部７は最も背面ダクト８寄りにある奥商品収容部７ａから最もバックドア４寄りにある手前商品収容部７ｂまで複数の収容部から構成されている。そして、商品収容部７を含む庫内５はメインドア２、バックドア４、内箱３にて密閉されており、背面ダクト８の中間開口部８ｃは奥商品収容部７ａの商品搬出手段であるベンドメカ２１付近に位置する。
【００２４】
また、図１（ｂ）において、庫内５は商品収容部７と商品収容部８とから構成されている。また、冷却手段としての蒸発器９、加温手段としてのヒータ１０、送風手段としてのファン１１、背面ダクト８、上側開口部８ａ、下側開口部８ｂ、中間開口部８ｃそして吸込み位置切換手段としてのシャッタ２０は従来の技術と同一構成のため同一符号を付して、その詳細な説明は省略する。
【００２５】
ここで、固定式遮風手段である発砲樹脂材、例えばフォーム１０１ａを背面ダクト８の中間開口部８ｃの真上、かつ右バリヤ１０３ａの商品収容部８方向の壁面から左バリヤ１０３ｂの商品収容部７方向の壁面までバックドア４の手前商品収容部７ｂ方向の側面に粘着剤で貼付け、バックドア４を閉じたときバックドア４と手前商品収容部７ｂ間の隙間ｇ１が限りなく閉塞されるようにする。
【００２６】
以上のように構成された自動販売機の冷却加温機構について、以下その動作、作用を説明する。
【００２７】
まず、吸込み位置切換手段であるシャッタ２０が背面ダクト８の中間開口部８ｃから循環気流（冷気流または暖気流）を吸込む状態であるとき、デリバリシュート１４を通して吹出した循環気流は、商品収容部７を循環し背面ダクト８の中間開口部８ｃに吸込まれる。そして、循環気流は、再度デリバリシュート１４を通して吹出され、商品収容部７を循環する。
【００２８】
このとき、バックドア４と手前商品収容部７ｂ間の隙間ｇ１へ流入した循環気流が、フォーム１０１ａにより遮風されるため、フォーム１０１ａより上部を循環することを阻まれる。そして、フォーム１０１ａ周囲の循環気流は背面ダクト８の中間開口部８ｃに向かって循環しているため、フォーム１０１ａにより遮風された循環気流もこの周囲の循環気流に従い背面ダクト８の中間開口部８ｃに向かって循環する。
【００２９】
以上のように、本実施の形態においては、固定式遮風手段である発砲樹脂材、例えばフォーム１０１ａを背面ダクト８の中間開口部８ｃの真上、かつ右バリヤ１０３ａの商品収容部８方向の壁面から左バリヤ１０３ｂの商品収容部７方向の壁面までバックドア４の手前商品収容部７ｂ方向の側面に粘着剤で貼付け、バックドア４を閉じたときバックドア４と手前商品収容部７ｂ間の隙間ｇ１が限りなく閉塞されるようにすることにより、バックドア４と手前商品収容部７ｂ間の隙間ｇ１へ流入した循環気流が、フォーム１０１ａにより遮風されるため、フォーム１０１ａより上部を循環することを阻まれる。
【００３０】
そして、フォーム１０１ａ周囲の循環気流は背面ダクト８の中間開口部８ｃに向かって循環しているため、フォーム１０１ａにより遮風された循環気流もこの周囲の循環気流に従い背面ダクト８の中間開口部８ｃに向かって循環するため、商品収容部７の下部を加温する部分加温の際、従来まで部分加温に使用されなかったバックドア４と手前商品収容部７ｂ間の隙間ｇ１へ流入した循環気流を部分加温に使用できるため省エネになるだけでなく、フォーム１０１ａより上部にある手前商品収容部７ｂの商品６の温度上昇を低減し加温劣化を防止でき、より長期間鮮度の高い商品６を消費者に提供できる。
【００３１】
また、本実施の形態の遮風手段を可動式のもの、例えば金属製開閉フラップ１０２（図示省略）とし、部分加温のときのみ開閉フラップ１０２を開状態で、バックドア４と手前商品収容部７ｂ間の隙間ｇ１を閉塞しても同様の効果を得られることができる。
【００３２】
さらに、開閉フラップ１０２は可動式のため、商品収容部７の上部までの商品６を加温する全体加温の際は、開閉フラップ１０２を閉状態にすることによりバックドア４と手前商品収容部７ｂ間に隙間ｇ１ができ、開閉フラップ１０２より上部を循環気流が循環できるようになるため、全体加温が可能となる。
【００３３】
つまり、遮風手段を可動式にすることにより、販売量が多く、多数の商品を加温する必要がある場合もより早く商品６を適温に加温することができ、販売機会を失うことを防止できるという効果も得られる。
【００３４】
なお、固定式遮風手段及び可動式遮風手段はそれぞれフォーム１０１及び金属製開閉フラップ１０２に限定されるものでなく、フォーム１０１以外の発砲樹脂材やパテ・粘土そして木製開閉板でも同様の効果が得られる。
【００３５】
また、フォーム１０１ａをバックドア４に貼付けるのではなく、手前商品収容部７ｂに貼付けたり、フォーム１０１ａの貼付け高さを部分加温する範囲に従い変更しても同様の効果が得られる。
【００３６】
さらに、フォーム１０１の体積を増やすと、バックドア４と手前商品収容部７ｂ間の隙間ｇ１が完全に閉塞されるため、さらなる遮風効果が得られる。
【００３７】
（実施の形態２）
図１（ａ）は、本発明の実施の形態２における自動販売機の冷却加温機構の側面からみた構成図である。
【００３８】
図１（ｂ）は、本発明の実施の形態２における自動販売機の冷却加温機構の正面からみた構成図である。
【００３９】
図１（ａ）、図１（ｂ）において、背面ダクト８の中間開口部８ｃの真上かつ、右バリヤ１０３ａの商品収容部８方向の壁面から左バリヤ１０３ｂの商品収容部７方向の壁面まで背面ダクト８の奥商品収容部７ａ方向の側面にフォーム１０１ｂを粘着剤で貼付け、奥商品収容部７ａと背面ダクト８間の隙間ｇ２を限りなく閉塞する。
【００４０】
以上のように構成された自動販売機の冷却加温機構について、以下その動作、作用を説明する。
【００４１】
まず、シャッタ２０が背面ダクト８の中間開口部８ｃから循環気流（冷気流または暖気流）を吸込む状態であるとき、デリバリシュート１４を通して吹出した循環気流は、商品収容部７を循環し背面ダクト８の中間開口部８ｃに吸込まれる。そして、循環気流は、再度デリバリシュート１４を通して吹出され、商品収容部７を循環する。このとき、奥商品収容部７ａと背面ダクト８間の隙間ｇ２へ流入した循環気流が、フォーム１０１ｂにより遮風されるため、フォーム１０１ｂより上部を循環することを阻まれる。そして、フォーム１０１ｂ周囲の循環気流は背面ダクト８の中間開口部８ｃに向かって循環しているため、フォーム１０１ｂにより遮風された循環気流もこの周囲の循環気流に従い背面ダクト８の中間開口部８ｃに向かって循環する。
【００４２】
以上のように、本実施の形態においては、背面ダクト８の中間開口部８ｃの真上かつ、右バリヤ１０３ａの商品収容部８方向の壁面から左バリヤ１０３ｂの商品収容部７方向の壁面まで背面ダクト８の奥商品収容部７ａ方向の側面にフォーム１０１ｂを粘着剤で貼付け、奥商品収容部７ａと背面ダクト８間の隙間ｇ２を限りなく閉塞することにより、奥商品収容部７ａと背面ダクト８間の隙間ｇ２へ流入した循環気流が、フォーム１０１ｂにより遮風されるため、フォーム１０１ｂより上部を循環することを阻まれる。
【００４３】
そして、フォーム１０１ｂ周囲の循環気流は背面ダクト８の中間開口部８ｃに向かって循環しているため、フォーム１０１ｂにより遮風された循環気流もこの周囲の循環気流に従い背面ダクト８の中間開口部８ｃに向かって循環するため、奥商品収容部７ａも実施の形態１と同様の効果を得ることができる。
【００４４】
なお、固定式遮風手段はフォーム１０１に限定されるものでなく、フォーム１０１以外の発砲樹脂材やパテ、粘土でも同様の効果が得られる。
【００４５】
また、フォーム１０１ｂを背面ダクト８の中間開口部８ｃに貼付けるのではなく、奥商品収容部７ａに貼付けたり、フォーム１０１ｂ貼付け高さを部分加温する範囲に従い変更しても同様の効果が得られる。
【００４６】
さらに、フォーム１０１ｂの体積を増やすと、背面ダクト８の中間開口部８ｃと奥商品収容部７ａ間の隙間ｇ２が完全に閉塞されるため、さらなる遮風効果が得られる。
【００４７】
（実施の形態３）
図１（ｂ）は、本発明の実施の形態３における自動販売機の冷却加温機構の正面からみた構成図である。
【００４８】
図１（ｂ）において、背面ダクト８の中間開口部８ｃの真上、かつ背面ダクト８方向に沿って奥商品収容部７ａから手前商品収容部７ｂまで商品収容部７の左バリヤ１０３ｂ方向の側面にフォーム１０１ｃを接着剤で貼付け、商品収容部７と左バリヤ１０３ｂ間の隙間ｇ３を限りなく閉塞する。そして、商品収容部８と右バリヤ１０３ａ間の隙間ｇ４も同様にフォーム１０１ｄを貼付け、隙間ｇ４を限りなく閉塞する。
【００４９】
また、背面ダクト８の中間開口部８ｃの真上、かつ背面ダクト８方向に沿って奥商品収容部７ａから手前商品収容部７ｂまで商品収容部７の商品収容部８方向の側面と商品収容部８の商品収容部７方向の側面それぞれにフォーム１０１ｅを接着剤で貼付け、商品収容部７と商品収容部８間の隙間ｇ５を限りなく閉塞する。
【００５０】
以上のように構成された自動販売機の冷却加温機構について、以下その動作、作用を説明する。
【００５１】
まず、シャッタ２０が背面ダクト８の中間開口部８ｃから循環気流（冷気流または暖気流）を吸込む状態であるとき、デリバリシュート１４を通して吹出した循環気流は、商品収容部７または商品収容部８を循環し背面ダクト８の中間開口部８ｃに吸込まれる。そして、循環気流は、再度デリバリシュート１４を通して吹出され、商品収容部７及び商品収容部８を循環する。
【００５２】
このとき、商品収容部７と左バリヤ１０３ｂ間の隙間ｇ３、商品収容部８と右バリヤ１０３ａ間の隙間ｇ４、商品収容部７と商品収容部８間の隙間ｇ５へ流入した循環気流が、フォーム１０１ｃ、フォーム１０１ｄ、フォーム１０１ｅにより遮風されるため、フォーム１０１ｃ、フォーム１０１ｄ、フォーム１０１ｅより上部を循環することを阻まれる。そして、フォーム１０１ｃ、フォーム１０１ｄ、フォーム１０１ｅ周囲の循環気流は背面ダクト８の中間開口部８ｃに向かって循環しているため、フォーム１０１ｃ、フォーム１０１ｄ、フォーム１０１ｅにより遮風された循環気流もこの周囲の循環気流に従い背面ダクト８の中間開口部８ｃに向かって循環する。
【００５３】
以上のように、本実施の形態においては、背面ダクト８の中間開口部８ｃの真上、かつ背面ダクト８方向に沿って奥商品収容部７ａから手前商品収容部７ｂまで商品収容部７の左バリヤ１０３ｂ方向の側面にフォーム１０１ｃを接着剤で貼付け、商品収容部７と左バリヤ１０３ｂ間の隙間ｇ３を限りなく閉塞する。そして、商品収容部８と右バリヤ１０３ａ間の隙間ｇ４も同様にフォーム１０１ｄを貼付け、隙間ｇ４を限りなく閉塞する。
【００５４】
また、背面ダクト８の中間開口部８ｃの真上、かつ背面ダクト８方向に沿って奥商品収容部７ａから手前商品収容部７ｂまで商品収容部７の商品収容部８方向の側面と商品収容部８の商品収容部７方向の側面それぞれにフォーム１０１ｅを接着剤で貼付け、商品収容部７と商品収容部８間の隙間ｇ５を限りなく閉塞することにより、商品収容部７と左バリヤ１０３ｂ間の隙間ｇ３、商品収容部８と右バリヤ１０３ａ間の隙間ｇ４、商品収容部７と商品収容部８間の隙間ｇ５へ流入した循環気流が、フォーム１０１ｃ、フォーム１０１ｄ、フォーム１０１ｅにより遮風されるため、フォーム１０１ｃ、フォーム１０１ｄ、フォーム１０１ｅより上部を循環することを阻まれる。
【００５５】
そして、フォーム１０１ｃ、フォーム１０１ｄ、フォーム１０１ｅ周囲の循環気流は背面ダクト８の中間開口部８ｃに向かって循環しているため、フォーム１０１ｃ、フォーム１０１ｄ、フォーム１０１ｅにより遮風された循環気流もこの周囲の循環気流に従い背面ダクト８の中間開口部８ｃに向かって循環するため、商品収容部７の奥商品収容部７ａから手前商品収容部７ｂ及び商品収容部８の奥商品収容部８ａから手前商品収容部８ｂまでの広範囲に対し、実施の形態１と同様の効果を得ることができる。
【００５６】
なお、固定式遮風手段はフォーム１０１に限定されるものでなく、フォーム１０１以外の発砲樹脂材やパテ・粘土でも同様の効果が得られる。
【００５７】
また、フォーム１０１ｃ及びフォーム１０１ｄをそれぞれ商品収容部７及び商品収容部８ではなく商品収容部７方向の左バリヤ１０３ｂの側面及び商品収容部８方向の右バリヤ１０３ａの側面に貼付けたり、フォーム１０１ｃ、フォーム１０１ｄ、フォーム１０１ｅの貼付け高さを部分加温する範囲に従い変更しても同様の効果が得られる。
【００５８】
さらに、フォーム１０１ｃ、フォーム１０１ｄ、フォーム１０１ｅの体積を増やすと、商品収容部７と商品収容部７と左バリヤ１０３ｂ間の隙間ｇ３・商品収容部８と右側バリヤ１０３ａ間の隙間ｇ４、商品収容部７と商品収容部８間の隙間ｇ５が完全に閉塞されるため、さらなる遮風効果が得られる。
【産業上の利用可能性】
【００５９】
以上のように、本発明にかかる自動販売機の冷却加温機構は商品収容部の下部を加温する部分加温の際、従来まで部分加温に使用されなかった商品収容部のいずれか一側面に沿って流入した循環気流を部分加温に使用できるため省エネになるだけでなく、遮風手段より上部にある商品収容部の商品の温度上昇を低減し加温劣化を防止でき、より長期間鮮度の高い商品を消費者に提供できることが効能となるので、自動販売機の冷却加温機構等の用途にも適用できる。
【図面の簡単な説明】
【００６０】
【図１】（ａ）本発明の実施の形態１における自動販売機の冷却加温機構の側面からみた構成図（ｂ）本発明の実施の形態１における自動販売機の冷却加温機構の正面からみた構成図
【図２】従来の自動販売機の側面図
【符号の説明】
【００６１】
７，８  商品収容部
７ａ  奥商品収容部
７ｂ  手前商品収容部
１０１ａ，１０１ｂ，１０１ｃ，１０１ｄ，１０１ｅ  フォーム（遮風手段）
１０３ａ  右バリヤ
１０３ｂ  左バリヤ
ｇ１，ｇ２，ｇ３，ｇ４，ｇ５  隙間
【図１】
2007122213.tif 000003
【図２】
2007122213.tif 000004